(57)【要約】【課題】室外からバールを用いてこじ開けて錠装置を破損等して解錠状態としても、室外からシャッターカーテンを上方に移動して開放できないシャッターとする。【解決手段】シャッター枠１０に沿ってシャッターカーテン２０を昇降自在とし、その座板２２と下枠１２に亘って錠装置５０を取付けたシャッターにおいて、前記シャッター枠１０の縦枠１３に受け部材６１を、座板２２に当接部材６２（巻込防止用のストッパー２３）を、座板２２をバールでこじって錠装置５０を解錠状態とし、この状態からシャッターカーテン２０を上方に移動すると当接部材６２が受部材６１に当接するようにそれぞれ取付けたシャッター。【選択図】        図１
2005042321.tif 000002
【特許請求の範囲】
【請求項１】
シャッター枠に沿ってシャッターカーテンを昇降することで開閉すると共に、全閉状態でシャッターカーテンを上昇しないように施錠する錠装置を備えたシャッターにおいて、
前記全閉状態のシャッターカーテンが、錠装置が故意に解錠状態となる位置よりも更に上方に移動することを阻止するストップ機能を有するストッパー装置を設け、このストッパー装置は室内から前述のストップ機能を解除できることを特徴とするシャッター。
【請求項２】
シャッター枠に設けた受け部材と、
シャッターカーテンの室内側に設けられ、前記シャッターカーテンが全閉状態から所定ストローク上方に移動すると受け部材に当接する当接部材でストッパー装置とし、
前記受け部材と当接部材のいずれか一方が室内からストップ位置と非ストップ位置に亘って移動自在である請求項１記載のシャッター。
【請求項３】
シャッター枠に設けた受け部材と、
シャッターカーテンの室内側に設けられ、前記シャッターカーテンが全閉状態から所定ストローク上方に移動すると受け部材に当接する当接部材でストッパー装置とし、
前記当接部材が着脱自在である請求項１記載のシャッター。
【請求項４】
シャッター枠に沿ってシャッターカーテンを昇降することで開閉すると共に、全閉状態でシャッターカーテンを上昇しないように施錠する錠装置を備えたシャッターにおいて、
前記シャッター枠の上部寄りとシャッターカーテンに亘って縦長部材を、前記全閉状態のシャッターカーテンが、故意に解錠状態となる位置よりも更に上方に移動することを阻止するように着脱自在に取付けたことを特徴とするシャッター。
【発明の詳細な説明】
【０００１】
【発明の属する技術分野】
本発明は、建物開口部に取付けられるシャッターに関する。
【０００２】
【従来の技術】
建物開口部に取付けられるシャッターとしては、シャッター枠と、このシャッター枠に沿って昇降自在なシャッターカーテンと、そのシャッター枠の上部に設けられたシャッターケースと、このシャッターケース内に設けられ前記シャッターカーテンを巻取り、繰り出しする巻取り繰り出し機構を備えたものが一般的である。
このようなシャッターにおいては室外からシャッターカーテンを故意に開放できないようにする錠装置を取付けている。
【０００３】
例えば、特許文献１に開示されたシャッターにおいては、シャッターカーテンの最下部に設けた座板の側縁とシャッター枠のガイドレール下端に亘って錠装置を取付けている。
また、特許文献２に開示されたシャッターにおいては、座板の長手方向中間部とシャッター枠の下部に亘って錠装置を取付けている。
【０００４】
【特許文献１】
特開平８−１０９７８０号公報
【特許文献２】
特開２００１−７３６１０号公報
【０００５】
【発明が解決しようとする課題】
前述のように、座板とシャッター枠に亘って錠装置を取付けたシャッターにおいては、室外からバールを用いて故意にこじ開けることで錠装置が解錠される恐れがある。
例えば、シャッター枠の下枠と座板との間にバールを差し込み、無理にこじることで座板が上向きに湾曲変位し、錠装置が破損等して解錠状態となる。
このように、バールを用いて座板をこじることで錠装置が解錠状態となると、シャッターカーテンを上昇して開放できるので、室外から故意に人が室内に侵入でき、防犯上好ましくない。
【０００６】
本発明は、前述の課題に鑑みなされたものであって、その目的は、室外からバールを用いてシャッターカーテンをこじ開けて錠装置を解錠状態としても、室外からシャッターカーテンを上方に移動して開放できないようにしたシャッターを提供することである。
【０００７】
【課題を解決するための手段】
第１の発明は、シャッター枠に沿ってシャッターカーテンを昇降することで開閉すると共に、全閉状態でシャッターカーテンを上昇しないように施錠する錠装置を備えたシャッターにおいて、
前記全閉状態のシャッターカーテンが、錠装置が故意に解錠状態となる位置よりも更に上方に移動することを阻止するストップ機能を有するストッパー装置を設け、このストッパー装置は室内から前述のストップ機能を解除できることを特徴とするシャッターである。
【０００８】
第２の発明は、第１の発明においてシャッター枠に設けた受け部材と、
シャッターカーテンの室内側に設けられ、前記シャッターカーテンが全閉状態から所定ストローク上方に移動すると受け部材に当接する当接部材でストッパー装置とし、
前記受け部材と当接部材のいずれか一方が室内からストップ位置と非ストップ位置に亘って移動自在であるシャッターである。
【０００９】
第３の発明は、第１の発明においてシャッター枠に設けた受け部材と、
シャッターカーテンの室内側に設けられ、前記シャッターカーテンが全閉状態から所定ストローク上方に移動すると受け部材に当接する当接部材でストッパー装置とし、
前記当接部材が着脱自在であるシャッターである。
【００１０】
第４の発明は、シャッター枠に沿ってシャッターカーテンを昇降することで開閉すると共に、全閉状態でシャッターカーテンを上昇しないように施錠する錠装置を備えたシャッターにおいて、
前記シャッター枠の上部寄りとシャッターカーテンに亘って縦長部材を、前記全閉状態のシャッターカーテンが、故意に解錠状態となる位置よりも更に上方に移動することを阻止するように着脱自在に取付けたことを特徴とするシャッターである。
【００１１】
【作  用】
第１の発明によれば、室外からバールを用いてシャッターカーテンをこじ開けて錠装置を故意に解錠状態とし、その状態でシャッターカーテンを上方に移動しようとした場合に、ストッパー装置によってシャッターカーテンの上方への移動が阻止される。
しかも、ストッパー装置はシャッターカーテンをバールを用いてこじ開けて錠装置を解錠状態とした時には何ら機能しないので、シャッターカーテンをバールを用いてこじ開けた時にストッパー装置が破損することがない。
よって、シャッターカーテンを室外からバールを用いてこじ開けて錠装置を解錠状態としても、シャッターカーテンを室外から開放することができず、室外から故意にシャッターカーテンを開放することを防止でき、防犯上好ましいシャッターである。
また、ストッパー装置のストップ機能を解除すれば、室内からシャッターカーテンを全開できる。
【００１２】
第２の発明によれば、受け部材と当接部材のいずれか一方をストップ位置として、シャッターカーテンが全閉状態から所定ストローク上方に移動すると当接部材が受け部材に当接するので、室外から故意にシャッターカーテンを開放することを確実に防止できる。
また、受け部材と当接部材のいずれか一方を非ストップ位置とすれば室内からシャッターカーテンを全開することができる。
【００１３】
第３の発明によれば、当接部材を取付けた状態でシャッターカーテンが全閉状態から所定ストローク上方に移動すると当接部材が受け部材に当接するので、室外から故意にシャッターカーテンを開放することを確実に防止できる。
また、当接部材を取り外しすることで、シャッターカーテンを室内から全開することができる。
【００１４】
第４の発明によれば、室外からバールを用いてシャッターカーテンをこじ開けて錠装置を故意に解錠状態とし、その状態でシャッターカーテンを上方に移動しようとした場合に、縦長部材によってシャッターカーテンの上方への移動が阻止される。
しかも、縦長部材はシャッターカーテンをバールを用いてこじ開けて錠装置を解錠状態とした時には何ら機能しないので、シャッターカーテンをバールを用いてこじ開けた時に縦長部材自体や、その取付部が破損することがない。
よって、シャッターカーテンを室外から故意に開放することを防止でき、防犯上好ましいシャッターである。
また、縦長部材を取り外すことで、室内からシャッターカーテンを全開できる。
【００１５】
【発明の実施の形態】
図１と図２に示すように、シャッター枠１０と、このシャッター枠１０に沿って上下動自在なシャッターカーテン２０と、前記シャッター枠１０よりも上方に設けたシャッターケース３０と、このシャッターケース３０内に設けられ、前記シャッターカーテン２０を巻き取り繰り出しする巻取繰出部４０と、前記シャッターカーテン２０が全閉状態から上昇しないようにロックする錠装置５０がシャッターの基本構成である。
【００１６】
前記各部材の具体形状の一例を説明するが、必ずしもこの形状に限ることはない。
前記シャッター枠１０は、上枠１１と下枠１２と左右の縦枠１３を有し、その左右の縦枠１３はシャッターカーテン２０を昇降自在にガイドするガイド部、例えばガイドレール１４を備えている。
前記シャッターカーテン２０は複数のスラット２１を連結し、その最下部のスラット２１に座板２２を取付け、この座板２２に巻込防止用のストッパー２３を設けたものである。
このストッパ２３は上枠１１の室外側端部に当接する。
前記シャッターケース３０は上面板３１と左右の側面板３２と前面カバー３３で構成され、その前面カバー３３は開閉自在で、かつこの前面カバー３３の下部室内側部と上枠１１の室外側部との間にシャッターカーテン２０が出入りする開口部３４が形成してある。
前記巻取繰出部４０は、シャッターケース３０内に回転自在に設けた巻取ドラム４１を備え、この巻取ドラム４１に前記最上部のスラット２１が連結される。
前記錠装置５０は、座板２２に取付けた錠本体５１に設けた錠５２と、下枠１２に取付けた錠受け５３と、座板２２に取付けた操作部材５４を備え、前記錠５２は錠受け５３に係合する施錠位置に保持され、操作部材５４を上方に回動操作することで錠５２が錠受け５３から離脱する解錠位置に作動する。
よって、バールを用いて座板２２を上方に変位してシャッターカーテン２０を少し上方に移動することで、錠５２が錠受け５３から外れて解錠状態とすることができる。
【００１７】
前述したシャッターにおいては、シャッターカーテン２０を全閉した状態で、その座板２２と下枠１２との間に室外からバールを差し込み、無理にこじることで座板２２が斜め室外側上方に向けて変位し、錠５２が錠受け５３から外れて錠５０が解錠状態となるので、その状態からシャッターカーテン２０を上方に移動して開放でき、防犯上好ましくない。
【００１８】
そこで、第１の発明はストッパー装置６０を取付け、前述のように室外からバールを用いてシャッターカーテン２０をこじ開けて錠装置５０を室外から故意に解錠状態とし、その状態でシャッターカーテン２０を上方に移動しようとした際に、シャッターカーテン２０の上方への移動を阻止するようにした。つまり、ストッパ装置６０は、全閉状態のシャッターカーテン２０が故意に錠装置５０を解錠状態となるまで上方に移動することを許容するが、それよりも更に上方に移動することを阻止するストップ機能を有するものである。
このようにすることで、室外からバールを用いて座板２２を無理にこじることで錠装置５０を解錠状態としても、ストッパー装置６０によってシャッターカーテン２０を開放することを防止できるので、防犯上好ましい。
【００１９】
前述した本発明のストッパー装置６０は、シャッターカーテン２０を全閉状態から上方に移動することを阻止するものではなく、前述のように座板２２が錠装置５０が解錠状態となるまで上方に変位した後に、さらに座板２２が上方に移動しようとした際に、その上方への移動を阻止するものであって、前述のようにバールを用いて座板２２を上方に変位させた際にストッパー装置６０が破損することがない。
つまり、シャッターカーテン２０を全閉状態から上方に移動することを阻止するストッパー装置を用いた場合には、前述のようにバールを用いて座板２２を無理にこじった場合に錠装置５０と同様に破損等されて上方への移動を阻止できなくなってしまう。
【００２０】
前記ストッパー装置６０は図１と図２に示すように、シャッター枠１０、例えばガイドレール１４に取付けた受け部材６１と、シャッターカーテン２０の室内側に取付けた当接部材６２、この実施の形態では前述の巻込防止用のストッパー２３を備え、その受け部材６１は図２に実線で示すストップ位置と図２に仮想線で示す非ストップ位置に移動自在である。この実施の形態では受け部材６１がガイドレール１４に取付けた本体６３にストップ位置と非ストップ位置に亘って移動自在に設けてあるが、ガイドレール１４にストップ位置と非ストップ位置に亘って移動自在に取付けても良い。
前記受け部材６１がストップ位置であると、シャッターカーテン２０を全閉状態から所定ストローク上方に移動すると当接部材６２が当接してストップ機能を発揮し、非ストップ位置であると当接部材６２が当接しないからストップ機能が解除される。
前述の所定ストロークとは、錠装置５０が故意に解錠状態となる位置以上に移動するストロークである。
【００２１】
このようであるから、シャッターカーテン２０を開閉する場合には受け部材６１を非ストップ位置とし、当接部材６２が受け部材６１に当接せずにスムーズに上下動できるようにする。
前記シャッターカーテン２０を全閉状態とした場合には当接部材６２が受け部材６１よりも下方に位置し、その受け部材６１をストップ位置とする。
この状態で、室外からバールを用いて座板２２を無理にこじって上方に変位させて錠装置５０を解錠状態とした場合には当接部材６２が受部材６１に当接しない。
前述の状態からシャッターカーテン２０を上方に移動すると当接部材６２が受け部材６１に当接して上方への移動を阻止する。
【００２２】
前記受け部材６１は上下方向に回動自在で、水平姿勢の時にストッパ位置で下向き姿勢の時に非ストップ位置となると共に、常時水平姿勢にばね等で保持され、かつ外力が作用すると下向き姿勢に向けて回動するようにしても良い。
このようにすれば、図３に示すように受け部材６１が水平姿勢の状態でシャッターカーテン２０が下降した場合に、その座板２２（当接部材）が受け部材６１に干渉して下向き姿勢に回動するので、全閉することができる。
なお、シャッターカーテン２０が全閉状態となれば当接部材６２（ストッパー２３）が受け部材６１から離れ、水平姿勢に復帰する。
【００２３】
前述の実施の形態では、受け部材６１をストップ位置と非ストップ位置に移動自在とし、当接部材６２を固定したが、当接部材６２をストップ位置と非ストップ位置に移動自在とし、受け部材６１を固定しても良い。
例えば、図４と図５に示すように、受け部材６１をガイドレール１４に固定し、当接部材６２をストッパー２３に受け部材６１に向けて往復移動自在に設けて受け部材６１と干渉するストップ位置と受け部材６１と干渉しない非ストップ位置に移動自在とする。
【００２４】
具体的には、巻込防止用のストッパー２３に座板長手方向に向うガイド孔２４と、このガイド孔２４を室内側面２３ａに開口する開口部２５を形成する。
前記当接部材６２を前記ガイド孔２４にスライド自在に嵌挿すると共に、この当接部材６２に設けた操作摘み６４を開口部２５に沿って移動自在とする。
このようにすれば、操作摘み６４を持って当接部材６２を図５に仮想線で示すストップ位置と点線で示す非ストップ位置に亘って移動することができる。
【００２５】
前述の当接部材６２をシャッターカーテン２０に着脱自在に取付け、前述の受け部材６１をシャッター枠１０に固定して取付けしても良い。
例えば、図６に示すように、全閉状態のシャッターカーテン２０の上部寄り室内側に当接部材６２を着脱自在に取付け、この当接部材６２の上端部が上枠１１の室外寄り部１１ａ（受け部材６１）と所定の寸法Ｈ１を置いて対向するようにする。つまり、上枠１１を受部材６１と兼用とする。
【００２６】
このようにすれば、前述のようにバールを用いて座板２２を無理にこじって上方に変位させることで錠装置５０を解錠状態とした際に、当接部材６０が上枠１１の室外寄り部１１ａとは干渉しない。
この状態からシャッターカーテン２０を上方に移動して開放しようとすると当接部材６２が上枠１１の室外寄り部１１ａに当接して上方への移動を阻止する。
【００２７】
また、シャッターカーテン２０を開放する場合には当接部材６２を取り外しすれば良い。
【００２８】
具体的には、上部寄りのスラット２１の室内側面に受け金具２６（縦片２６ａ）を取付け、上下中間のスラット２１の室内側面にナット金具２７を取付ける。
前記当接部材６２の上端部に上ブラケット６５を取付け、この上ブラケット６５の下向片６５ａを受け金具２６の上向きの鉤片２６ｂに係止して当接部材６２の上部を係脱自在にスラット２１に支持する。
前記当接部材６２の下端部に下ブラケット６６を取付け、この下ブラケット６６の縦片６６ａを前記ナット金具２７に螺合したボルト６７で固着する。
【００２９】
このようにすれば、当接部材６２の上部をスラット２１に係止した状態で、ビス止めすることで取付けできるし、ビスを弛めた後に当接部材６２の上部をスラット２１から離脱することで取り外しできるから、その取付け、取り外しが容易である。
【００３０】
なお、上枠１１に受け部材６１を取付けても良い。
前述の図６においてはシャッターケース３０、巻取繰出部４０の図示を省略してある。
【００３１】
次に第２の発明を説明する。
第２の発明は、シャッター枠１０の上部寄りとシャッターカーテン２０とに亘って縦長部材７０を着脱自在に取付け、この縦長部材７０によって前述のように座板２２の変位後にシャッターカーテン２０が上方に移動することを阻止するようにした。
例えば、図７と図８に示すように、シャッター枠１０の上部寄り、好ましくは上枠１１に上部受け金具７１を取付け、上下方向中間に位置するスラット２１、つまり中間スラット２１の室内側面に下部受け金具７２を取付ける。
前記縦長部材７０を、前述の上部受け金具７１と下部受け部材７２に、上下けんどん式に取付け、取外しできるようにする。
そして、シャッター枠１０における室内寄りで縦枠１３寄りに縦長部材７０を保管できるようにする。
【００３２】
具体的には、前記上部受け金具７１は横片７１ａと縦片７１ｂで鉤形で、その横片７１ａを上枠１１の室外側寄りに固着具、例えばビス７３で固着して取付け、縦片７１ｂを下向きとする。
前記下部受け金具７２は、取付片７２ａと上向きの鉤片７２ｂを備え、その取付片７２ａを中間スラット２１の室内側面に固着具、例えばリベット７４で固着する。この実施の形態では一枚の板材を打ち出し加工して取付片と鉤片を有する下部受け金具７２としてある。
前記縦長部材７０は、矩形中空のポール７５の上部にキャップ材７６を取付け、その下部に取付け金具７７を固着したもので、そのキャップ材７６が前記上部受け金具７１の縦片７１ｂに長手方向にスライド自在に嵌合すると共に、取付け金具７７の係止片７７ａが下部受け金具７２の鉤片７２ｂに係止する。
【００３３】
このようであるから、縦長部材７０を垂直姿勢に対して室内外側方向に若干斜めの姿勢とし、そのキャップ材７６を縦片７１ｂに嵌合して上方に移動することで、取付け金具７７の係止片７７ａを下部受け金具７２の鉤片７２ｂよりも上方に位置させる。
この状態で縦長部材７０の下部を室外側に向けて移動して係止片７７ａを鉤片７２ｂの上方に位置させる。
そして、縦長部材７０を下方に移動して係止片７７ａを鉤片７２ｂに係止して取付ける。
取り外す時には前述と反対の操作をする。
つまり、上下けんどん式に取付け、取外しできるようにしてある。
【００３４】
前記シャッター枠１０は引き違いサッシの窓枠を兼用しており、その下枠１２の室内寄りに室内側レール１２ａ、室外寄りに室外側レール１２ｂが設けてある。
そして、図８に仮想線で示すように室内側障子１２ｃをストロークエンドまで開き側に移動した時に、その室内側障子１２ｃと一方の縦枠１３の内面との間に縦長部材７０を設置するスペースが形成されるようにしてある。
このようであるから、縦長部材７０を取り外した場合には前述の位置に設置して保管することができる。
【００３５】
図７においては、前述のシャッターケース３０、巻取繰出部４０の図示が省略してある。
【００３６】
【発明の効果】
請求項１に係る発明によれば、室外からバールを用いてシャッターカーテンをこじ開けて錠装置を故意に解錠状態とし、その状態でシャッターカーテンを上方に移動しようとした場合に、ストッパー装置によってシャッターカーテンの上方への移動が阻止される。
しかも、ストッパー装置はシャッターカーテンをバールを用いてこじ開けて錠装置を解錠状態とした時には何ら機能しないので、シャッターカーテンをバールを用いてこじ開けた時にストッパー装置が破損することがない。
よって、シャッターカーテンを室外からバールを用いてこじ開けて錠装置を解錠状態としても、シャッターカーテンを室外から開放することができず、室外から故意にシャッターカーテンを開放することを防止でき、防犯上好ましいシャッターである。
また、ストッパー装置のストップ機能を解除すれば、室内からシャッターカーテンを全開できる。
【００３７】
請求項２に係る発明によれば、受け部材と当接部材のいずれか一方をストップ位置として、シャッターカーテンが全閉状態から所定ストローク上方に移動すると当接部材が受け部材に当接するので、室外から故意にシャッターカーテンを開放することを確実に防止できる。
また、受け部材と当接部材のいずれか一方を非ストップ位置とすれば室内からシャッターカーテンを全開することができる。
【００３８】
請求項３に係る発明によれば、当接部材を取付けた状態でシャッターカーテンが全閉状態から所定ストローク上方に移動すると当接部材が受け部材に当接するので、室外から故意にシャッターカーテンを開放することを確実に防止できる。
また、当接部材を取り外しすることで、シャッターカーテンを室内から全開することができる。
【００３９】
請求項４に係る発明によれば、室外からバールを用いてシャッターカーテンをこじ開けて錠装置を故意に解錠状態とし、その状態でシャッターカーテンを上方に移動しようとした場合に、縦長部材によってシャッターカーテンの上方への移動が阻止される。
しかも、縦長部材はシャッターカーテンをバールを用いてこじ開けて錠装置を解錠状態とした時には何ら機能しないので、シャッターカーテンをバールを用いてこじ開けた時に縦長部材自体や、その取付部が破損することがない。
よって、シャッターカーテンを室外から故意に開放することを防止でき、防犯上好ましいシャッターである。
また、縦長部材を取り外すことで、室内からシャッターカーテンを全開できる。
【図面の簡単な説明】
【図１】本発明のストッパー装置を備えたシャッターの第１の実施の形態を示す縦断面図である。
【図２】ストッパー装置の取付部分を示す横断面図である。
【図３】ストッパー装置の一例を示す正面図である。
【図４】本発明のストッパー装置を備えたシャッターの第２の実施の形態を示す縦断面図である。
【図５】ストッパー装置の取付部分を示す横断面図である。
【図６】本発明のストッパー装置を備えたシャッターの第３の実施の形態を示す縦断面図である。
【図７】本発明の縦長部材を備えたシャッターの実施の形態を示す縦断面図である。
【図８】図７の横断面図である。
【符号の説明】
１０…シャッター枠、１１…上枠、１２…下枠、１３…縦枠、１４…ガイドレール、２０…シャッターカーテン、２１…スラット、２２…座板、２３…巻込防止用のストッパー、５０…錠装置、６０…ストッパー装置、６１…受け部材、６２…当接部材、７０…縦長部材。
【図１】
2005042321.tif 000003
【図２】
2005042321.tif 000004
【図３】
2005042321.tif 000005
【図４】
2005042321.tif 000006
【図５】
2005042321.tif 000007
【図６】
2005042321.tif 000008
【図７】
2005042321.tif 000009
【図８】
2005042321.tif 000010